(57)【特許請求の範囲】
【請求項１】
流体管等の本管の分岐口に分岐用金具を介して装着されるものであって、直線状の軸線をもち、上下端開口の単一の中空体からなる胴を具え、この胴は軸線と直交する側部に横枝管取付部を有し、下端部外周に前記分岐用金具の袋ナットと螺合するおねじを設けているとともに、下端部から上端部の内周にめねじを設け、このめねじに止水用止めこまを螺合し、この止めこまの外周に環状のテーパ部を設け、このテーパ部が止水時に当接する内向き環状突部を前記胴の下端部内周に設けたことを特徴とする分水栓。
【請求項２】
横枝管取付部にソケットを、横枝管取付部の内周とソケットの外周との間にゴム輪を介装して挿入するとともに、該ソケットを横枝管取付部の軸線に対して傾動可能に袋ナットで締め付けてなる請求項１記載の分水栓。
【請求項３】
請求項１の分水栓の取付方法であって、胴の下端部側おねじを本管の分岐口に取付けた分岐用金具に螺合して装着した後、胴のめねじに螺合した止めこまを操作治具で下端部側へ回転移動し、テーパ部を環状突部に当接させて止水した後、横枝管取付部に横枝管を取付け、止めこまを上端部側へ回転移動し、上端開口部を閉じて止水することを特徴とする分水栓の取付方法。
【請求項４】
請求項１の分水栓の取付方法であって、外筒と該外筒内に摺動可能に嵌入された拡径軸とを有し、該拡径軸の下端部が大径の拡径ヘッドに形成され、かつ該ヘッドによって拡径可能なゴム筒が外筒の下端部に設けられた止水治具と、上下端開口の軸孔を有し、該軸孔を開閉するボール弁が設けられた分岐用金具取付治具とを具え、この取付治具の軸孔に挿入される拡径治具による拡径終了後、該拡径治具を引き抜くとともに、取付治具の軸孔の上端開口部から分岐用金具を経て本管内に止水治具を前記ボール弁を開いて挿入し、拡径ヘッドでゴム筒を拡径して拡径部の内面に圧接させることにより止水のための栓がされた状態にし、次に止水治具の上方から胴を差し込んで、胴の下端部側おねじを分岐用金具に螺合して装着し、胴の横枝管取付部に蓋を取付けるとともに、上下端開口の本体内にボール弁を有する弁部材を同様に止水治具の上方から差し込んで、弁部材の本体の下端部側めねじを胴の上端部側おねじに螺合して装着し、止水治具を弁部材のボール弁の上まで引き上げた後、該ボール弁を閉めたうえ止水治具を引き抜き、次に弁部材の本体の上端部側から止めこまをボール弁の上方まで挿入するとともに、ボール弁を開いて止めこまをさらに下方に挿入し、胴のめねじに螺合して操作治具で下端部側へ回転移動し、テーパ部を胴の環状突部に当接するまで締め付けて止水し、この止めこまによる止水状態で蓋を外し、横枝管取付部に横枝管を取付け、止めこまを胴の上端部側へ回転移動し、上端開口部を閉じて止水することを特徴とする分水栓の取付方法。
【請求項５】
請求項１の分水栓の取付方法であって、本管の分岐口に取付けた分岐用金具に円板状パッキンを装着するとともに、該パッキンの上方から上下端開口の押え部材を分岐用金具に螺合して締め付け治具で締め付けながら押圧し、該パッキンの中央部にワイヤの一端を取付け、このワイヤの他端を胴の横枝管取付部に取付けた蓋から引き出し可能に貫通させ、そのうえで胴を分岐用金具に螺合して該胴の下端に形成した切断刃でパッキンの周縁部を切断し、この切断したパッキンをワイヤの引き出しによって横枝管取付部まで引き上げた後、胴のめねじに螺合した止めこまを操作治具で下端部側へ回転移動し、テーパ部を胴の環状突部に当接するまで締め付けて止水し、この止めこまによる止水状態で蓋を外し、横枝管取付部に横枝管を取付け、止めこまを胴の上端部側へ回転移動し、上端開口部を閉じて止水することを特徴とする分水栓の取付方法。
【発明の詳細な説明】
【０００１】
【発明の属する技術分野】
この発明は、内部に止水用止めこまを有し、耐震性に優れた分水栓及び該分水栓の取付方法に関するものである。
【０００２】
【従来の技術】
この種の止めこまを有する水道用分水栓（甲形）として、例えば図１６に示すものが知られている。この分水栓０１は上胴０２、下胴０３、止めナット０４、袋ナット０５、止めこま０６、パッキン０７，０８，０９、およびソケット０１０等から構成されている。下胴０３の下部外周におねじ０１１が設けられ、上部外周には上胴０２を取付けるためのおねじ０１２が設けられている。内周には止めこま０６と螺合するめねじ０１３と、止めこま０６と接し止水する止水面０１４が設けられている。上胴０２の下部内周に下胴０３のおねじ０１２と螺合するためのめねじ０１５が設けられ、またその上部には止めこま０６と螺合するめねじ０１６が上端面まで設けられている。上胴０２の上部外周におねじ０１７が設けられ、止めナット０４が螺合して取付けられている。上胴０２の中央側部には横枝管取付部０１８が設けられ、該取付け部の外周のおねじ０１９には袋ナット０５が螺合して取付けられている。
【０００３】
取付けに際しては、水道用本管０２０の管天に図示しない穿孔機により分岐口０２１を形成した後、めねじを切り分水栓０１の下胴０３のおねじ０１１を螺合して接合する。このとき下胴０３のめねじ０１３に止めこま０６が螺合して下限に位置し、本管０２０からの止水を行う。このような方法により本管０２０に不断水下で分水栓の下胴０３を取付けた後、上胴０２のめねじ０１５を下胴０３のおねじ０１２に螺合して取付ける。そして横枝管取付部０１８のソケット０１０に横枝管０２３を取付けた後、止めこま０６をめねじ０１６に沿って上昇させて上限に位置させ、止めナット０４部の止水をする。
【０００４】
【発明が解決しようとする課題】
ところで、この分水栓０１においては、下胴０３と上胴０２を止めこま０６が上下するには、下胴と上胴のねじ山の溝が合っていないと止めこまが上下できないので、下胴に対する上胴の取付けに際し、ねじ山を合わす必要があり、取付け作業が煩雑となるという問題点があった。
【０００５】
そこでこの発明は、前記のような従来の問題点を解決し、ねじ山を合わす必要がなくて取付け作業を効率的に行うことができる分水栓とその取付方法を提供することを目的とする。
【０００６】
【課題を解決するための手段】
前記目的を達成するため、請求項１の発明の分水栓は、直線状の軸線をもち、上下端開口の単一の中空体からなる胴を具えている。胴は軸線と直交する側部に横枝管取付部を有し、下端部外周に分岐用金具の袋ナットと螺合するおねじを設けているとともに、下端部から上端部の内周にめねじを設け、このめねじに止水用止めこまを螺合し、この止めこまの外周に環状のテーパ部を設け、このテーパ部が止水時に当接する内向き環状突部を胴の下端部内周に設けている。請求項２の発明の分水栓は、請求項１において、横枝管取付部にソケットを、横枝管取付部の内周とソケットの外周との間にゴム輪を介装して挿入するとともに、該ソケットを横枝管取付部の軸線に対して傾動可能に袋ナットで締め付けている。
【０００７】
請求項３の発明の分水栓の取付方法は、請求項１の分水栓の取付方法であって、胴の下端部側おねじを本管の分岐口に取付けた分岐用金具に螺合して装着した後、胴のめねじに螺合した止めこまを操作治具で下端部側へ回転移動し、テーパ部を環状突部に当接させて止水した後、横枝管取付部に横枝管を取付け、止めこまを上端部側へ回転移動し、上端開口部を閉じて止水することを特徴とする。
【０００８】
請求項４の発明の分水栓の取付方法は、請求項１の分水栓の取付方法であって、外筒と該外筒内に摺動可能に嵌入された拡径軸とを有し、該拡径軸の下端部が大径の拡径ヘッドに形成され、かつ該ヘッドによって拡径可能なゴム筒が外筒の下端部に設けられた止水治具と、上下端開口の軸孔を有し、該軸孔を開閉するボール弁が設けられた分岐用金具取付治具とを具えている。この取付治具の軸孔に挿入される拡径治具による拡径終了後、該拡径治具を引き抜くとともに、取付治具の軸孔の上端開口部から分岐用金具を経て本管内に止水治具をボール弁を開いて挿入し、拡径ヘッドでゴム筒を拡径して拡径部の内面に圧接させることにより止水のための栓がされた状態にし、次に止水治具の上方から胴を差し込んで、胴の下端部側おねじを分岐用金具に螺合して装着し、胴の横枝管取付部に蓋を取付けるとともに、上下端開口の本体内にボール弁を有する弁部材を同様に止水治具の上方から差し込んで、弁部材の本体の下端部側めねじを胴の上端部側おねじに螺合して装着し、止水治具を弁部材のボール弁の上まで引き上げた後、該ボール弁を閉めたうえ止水治具を引き抜き、次に弁部材の本体の上端部側から止めこまをボール弁の上方まで挿入するとともに、ボール弁を開いて止めこまをさらに下方に挿入し、胴のめねじに螺合して操作治具で下端部側へ回転移動し、テーパ部を胴の環状突部に当接するまで締め付けて止水し、この止めこまによる止水状態で蓋を外し、横枝管取付部に横枝管を取付け、止めこまを胴の上端部側へ回転移動し、上端開口部を閉じて止水することを特徴とする。
【０００９】
請求項５の発明の分水栓の取付方法は、請求項１の分水栓の取付方法であって、本管の分岐口に取付けた分岐用金具に円板状パッキンを装着するとともに、該パッキンの上方から上下端開口の押え部材を分岐用金具に螺合して締め付け治具で締め付けながら押圧し、該パッキンの中央部にワイヤの一端を取付け、このワイヤの他端を胴の横枝管取付部に取付けた蓋から引き出し可能に貫通させ、そのうえで胴を分岐用金具に螺合して該胴の下端に形成した切断刃でパッキンの周縁部を切断し、この切断したパッキンをワイヤの引き出しによって横枝管取付部まで引き上げた後、胴のめねじに螺合した止めこまを操作治具で下端部側へ回転移動し、テーパ部を胴の環状突部に当接するまで締め付けて止水し、この止めこまによる止水状態で蓋を外し、横枝管取付部に横枝管を取付け、止めこまを胴の上端部側へ回転移動し、上端開口部を閉じて止水することを特徴とする。
【００１０】
【発明の実施の形態】
図１ないし図３はこの発明の第１の実施の形態であり、この実施の形態により流体管等の本管１の分岐口２に分水栓３が分岐用金具４を介して取付けられた状態が図１に示されている。図２は分水栓の正面図である。
【００１１】
分岐用金具４は袋ナット６とゴム輪７とスリーブ８から構成されている。９は図示しない拡径治具により形成された拡径部である。分水栓３は直線状の軸線をもち、上下端開口の単一の中空体からなる胴１０を具えている。胴１０は軸線と直交する側部に横枝管取付部１１を有し、下端部外周に袋ナット６のめねじ１２と螺合するおねじ１３が設けられているとともに、下端部から上端部の内周にめねじ１５が設けられ、このめねじに止水用止めこま１６が螺合されている。止めこま１６の外周に環状のテーパ部１７が設けられ、このテーパ部が止水時に当接する内向き環状突部１８が胴１０の下端部内周に設けられている。１９は止めこま１６の上面に設けられた操作治具用係合凹部、２０は胴１０の下端とスリーブ８の上端フランジ面に介装されたパッキンである。胴１０の上端部外周におねじ２１が設けられ、このおねじにパッキン２２を介装して袋ナット２３が螺合されている。胴１０のおねじ１３，２１が設けられていない中間部外周には胴１０を分岐用金具４の袋ナット６に取付ける際に回転させるための回転治具（例えばスパナ）が取付けられるナット形状面２５に形成されている（図２）。
【００１２】
横枝管取付部１１の外周におねじ２６が設けられている。２７は横枝管２８取付用のソケットであり、一端フランジ面２７ａを取付部１１の先端フランジ面１１ａにパッキン２９を介装して当接され、かつその接合部がおねじ２６に螺合された袋ナット３０により締め付け固定されている。
【００１３】
前記のような分水栓３の断水下で行う取付け手順を説明する。まず、本管１の分岐口２に取付けられた分岐用金具４に分水栓３を取付ける。すなわち、分岐用金具４の袋ナット６のめねじ１２に分水栓３胴１０のおねじ１３を螺合して装着した後、胴１０のめねじ１５に螺合した止めこま１６を上端開口部から挿入する図示しない操作治具の下端部を係合凹部１９に係合させて下端部側へ回転移動し、テーパ部１７を環状突部１８に当接させる。これにより胴１０の下端開口が閉鎖され、止水された状態となる。次に、横枝管取付部１１に袋ナット３０を介して取付けられたソケット２７に横枝管２８を取付け、その後、止めこま１６を上端部側へ回転移動し、その上端面をパッキン２２に当接させる。これにより胴１０の上端開口が閉鎖され、分岐工事は終了する。
【００１４】
分水栓３の取付け手順を不断水下で行う場合について図３，４を参照して説明する。この場合には本出願人が特願平６−２５２０２４号で提案した止水治具と分岐用金具取付治具を用いる。止水治具３２は図３に示すように外筒３３と該外筒内に摺動可能に嵌入された拡径軸３４とを有している。拡径軸３４の下端部は大径の拡径ヘッド３５に形成されている。外筒３３の下端部には拡径ヘッド３５によって拡径可能なゴム筒３６が設けられている。３７は拡径軸３４の上端部外周に形成されたおねじで、該おねじには調整ナット３８がワッシャ３９を介して螺合されている。調整ナット３８は回転することにより拡径軸３４を外筒３３に対して上下動させることができるようになっている。４０はパッキンである。分岐用金具取付治具４２は図４に示すように螺合により連結された上部材４３と下部材４４からなっている。取付治具４２の中心部には上下端開口の軸孔４５が設けられ、かつ内部には軸孔４５を開閉するボール弁４６が設けられている。
【００１５】
取付けに際しては、取付治具４２の軸孔４５に挿入される図示しない拡径治具による拡径終了後、該拡径治具を引き抜くとともに、分岐用金具４のナット６に下端部おねじ４８が螺合して取り付けられた状態の取付治具４２の軸孔４５の上端開口部から図４のように止水治具３２を差し込み、ボール弁４６を開いてさらに分岐用金具４を経て本管１内の拡径部９より突出した位置となるように挿入する。そして、調整ナットにより３８により拡径軸３４を引き上げて、拡径ヘッド３５でゴム筒３６を拡径して拡径部９の内面に圧接させる。これにより分岐口２部は止水のための栓がされた状態になる。しかる後、図３のように止水治具３２の上方から分水栓３の胴１０を差し込んで、胴１０の下端部側おねじ１３を分岐用金具４のナット６のめねじ１２に螺合し、下端面でパッキン５０を押圧するようにして装着する。分水栓３の装着後、胴１０の横枝管取付部１１に蓋５１をパッキン５２を介して取付ける。
【００１６】
また、上下端開口の本体５４内にボール弁５５を有する弁部材５６を同様に止水治具３２の上方から差し込み、本体５４の下端部側めねじ５７を胴１０の上端部側おねじ２１に螺合して装着する。弁部材５６の装着後、止水治具３２を弁部材５６のボール弁５５の上まで引き上げ、該ボール弁を閉めて止水治具３２を引き抜く。止水治具３２を引き抜いた後、弁部材５６の本体５４の上端部側から止めこま１６をボール弁５５の上方まで挿入するとともに、該ボール弁を開いてさらに下方に挿入し、胴１０のめねじ１５に螺合させて前記のように操作治具で下端部側へ回転移動し、テーパ部１７を胴１０の環状突部１８に当接するまで締め付ける。環状突部１８への当接により胴１０の下端開口が閉鎖され、止水された状態となる。この止めこま１６による止水状態で蓋５１を外し、前記のように横枝管取付部１１に横枝管２８を取付ける。その後、弁部材５６を胴１０から外すとともに、該胴の上部にパッキン２２、袋ナット２３を装着して、止めこま１６を上端部側へ回転移動することにより胴１０の上端開口が閉鎖され、分岐工事は終了する。尚、６０，６１，６２はパッキン、６３はボール弁５５を回転操作するためのハンドル取付部、６４は本体５４の上端部おねじ６５に螺合された袋ナットである。
【００１７】
図５ないし７は横枝管取付部１１に取付けられたソケット部の変形した例であり、この例は横枝管取付部１１にソケット６８を、横枝管取付部１１の内周とソケット６８の外周との間にゴム輪６９を介装して挿入するとともに、該ソケット６８を横枝管取付部１１の軸線に対して傾動可能に袋ナット３０で締め付けている点において、第１の実施の形態と相違し、そのほかの構成はほぼ同じになっている。ゴム輪６９は図７のように取付前の自由状態でフランジ７０と反対側の端部が内向きの環状突部７１に形成されており、該突部が取付状態となると反転して外向きに圧接されるようになっている。また、ゴム輪６９のフランジ７０とソケット６８のフランジ７２は互いに接して取付部１１の先端フランジ面とナット３０の先端フランジ３０ａとにより挾持された形になっている。ソケット６８をこのように取付けると横枝管２８に曲げが働き分水栓３に横方向の力が加わったとき図６のように横枝管取付部１１でのソケット６８が傾動して力を吸収することが可能となり、接続部からの漏水の発生をなくしたり、分水栓３の取付け部が座屈するということがない。
【００１８】
図８ないし１０は横枝管取付部１１に取付けられたソケット部のさらに別の変形例であり、この例は前記例と類似の構成を有し、横枝管取付部１１にソケット７５を、横枝管取付部１１の内周とソケット７５の外周との間にゴム輪７６を介装して挿入するとともに、該ソケット７５を横枝管取付部１１の軸線に対して傾動可能に袋ナット７７で締め付けている点において、第１の実施の形態と相違し、そのほかの構成はほぼ同じになっている。ゴム輪７６は図１０のように取付前の自由状態でフランジ７８と反対側の端部が内外向きの環状突部７９に形成されており、該突部が取付状態となると内向きも含めて全て外向きになって圧接されるようになっている。また、ゴム輪７６のフランジ７８とソケット７５のフランジ８０は互いに接して取付部１１の先端フランジ面とスプリング８１により押圧されるワッシヤ８２とにより挾持された形になっている。８３はナット７７の先端部に取り付けられた土砂流入防止カバーである。ソケット７５をこのように取付けるとソケット７５の伸縮（移動）を許容し、かつ前記の例と同様な作用効果が期待できる。
【００１９】
図１１ないし１５はこの発明の第２の実施の形態である。この実施の形態の分水栓３の取付けに際しては、まず、本管１の分岐口２に取付けた分岐用金具４のスリーブ８の上端フランジの上に円板状パッキン８６を挿入して装着するとともに、該パッキンの上方から上下端開口の筒状の押え部材８７をその外周に形成したおねじ８８をナット６に螺合して図示しない締め付け治具で締め付けながら押圧して図１１のように取付ける。この締め付け治具による締め付けに際しては、押え部材８７の内周に設けるスプライン８９に締め付け治具のスプラインを係合して行う。締め付け後、パッキン８６の中央部に設けたワイヤ取付け部９１にワイヤ９２の一端を取付ける。図１１ではさらにその上から保護ボルト９３がナット６に螺合され、該ボルトの上面に地上からの検知により埋設された本管における分岐部を確認するための被検知板取付け用の凹所９４が形成されているが、ここではその説明は省略する。
【００２０】
ワイヤ取付け部９１に一端が取付けられたワイヤ９２の他端を胴１０の横枝管取付部１１に取付けた蓋９６の止水ゴム９７の孔から引き出し可能に貫通させ、そのうえで胴１０の下端部おねじ１３をナット６に螺合する。胴１０の下端には図１２に示すように切断刃９８が形成されており、この刃で前記螺合によりパッキン８６の周縁部を切断する。パッキン８６には予め切断し易いように環状溝９９が周縁部に切り込んである。そして、この切断したパッキン８６をワイヤ９２の引き出しによって図１４のように横枝管取付部１１まで引き上げた後、胴１０のめねじ１５に螺合した止めこま１６を前記のように図示しない操作治具で下端部側へ回転移動し、テーパ部１７を胴１０の環状突部１８に当接するまで締め付ける。環状突部１８への当接により胴１０の下端開口が閉鎖され、止水された状態となる。この止めこま１６による止水状態で蓋９６を外し、前記のように横枝管取付部１１に横枝管２８を取付ける。その後、止めこま１６を上端部側へ回転移動することにより胴１０の上端開口が閉鎖され、分岐工事は終了する。
【００２１】
前記のように最も好ましい第１の実施の形態と第２の実施の形態を説明したが、これらの実施の形態は好ましい一例を挙げたにすぎず、この発明はこれら実施の形態に限るものではなく、請求項に記載した事項の範囲の分水栓とその取付方法にまで技術的範囲が及ぶことは言うまでもない。
【００２２】
【発明の効果】
請求項１の発明は前記のように直線状の軸線をもち、上下端開口の単一の中空体からなる胴を具た構成からなり、従来のように上胴と下胴からなるものでないため、従来のようにねじ山を合わす必要がなくて取付け作業を効率的に行うことができる。請求項２の発明は横枝管取付部に取り付けた横枝管に横方向からの大きな曲げ、引っ張り等の力が働いても、傾動するソケットにより横枝管が屈曲、伸縮するので、接続部からの漏水の発生をなくすことができるとともに、分水栓の取付け部の座屈も防止することができる。請求項３ないし５の発明は請求項１の分水栓を断水下、又は不断水下において容易に取付けることができるという優れた効果がある。
【図面の簡単な説明】
【図１】この発明の第１の実施の形態で、流体管等の本管の分岐口に分水栓が分岐用金具を介して取付けられた状態を示す縦断正面図である。
【図２】分水栓の正面図である。
【図３】止水治具を使用中の作用説明用縦断正面図である。
【図４】取付治具を使用中の作用説明用縦断正面図である。
【図５】横枝管取付部に取付けられたソケット部の変形例を示す縦断正面図である。
【図６】図５の作用説明用縦断正面図である。
【図７】ゴム輪の半部破断の正面図である。
【図８】横枝管取付部に取付けられたソケット部のさらに別の変形例を示す縦断正面図である。
【図９】図８の作用説明用縦断正面図である。
【図１０】ゴム輪の半部破断の正面図である。
【図１１】この発明の第２の実施の形態で、流体管等の本管の分岐口に取り付けられた分岐用金具等を示す縦断正面図である。
【図１２】分水栓の胴の縦断正面図である。
【図１３】作用説明用縦断正面図である。
【図１４】作用説明用縦断正面図である。
【図１５】作用説明用縦断正面図である。
【図１６】従来の例の縦断正面図である。
【符号の説明】
１  本管                          ２  分岐口
３  分水栓                        ４  分岐用金具
６  袋ナット                      １０  胴
１１  横枝管取付部                  １６  止めこま
１７  テーパ部                      １８  環状突部
２７  ソケット                      ２８  横枝管
３２  止水治具                      ３３  外筒
３４  拡径軸                        ３５  拡径ヘッド
３６  ゴム筒                        ３８  調整ナット
４２  分岐用金具取付治具            ４６  ボール弁
５４  本体                          ５５  ボール弁
５６  弁部材                        ８６  環状パッキン
８７  押え部材                      ９２  ワイヤ
９８  切断刃
【図１】
0003604783.tif 000002
【図２】
0003604783.tif 000003
【図３】
0003604783.tif 000004
【図４】
0003604783.tif 000005
【図５】
0003604783.tif 000006
【図６】
0003604783.tif 000007
【図７】
0003604783.tif 000008
【図８】
0003604783.tif 000009
【図９】
0003604783.tif 000010
【図１０】
0003604783.tif 000011
【図１１】
0003604783.tif 000012
【図１２】
0003604783.tif 000013
【図１３】
0003604783.tif 000014
【図１４】
0003604783.tif 000015
【図１５】
0003604783.tif 000016
【図１６】
0003604783.tif 000017